(57)【要約】【課題】本発明は電源オフ時の蓄電電力の出力端子からの出力を防止して、安全で、低損失・高効率な電源装置を提供する。【解決手段】電源装置１は、オン／オフするＡＣスイッチ３を介して供給される交流電源を、蓄電素子５ａを有する整流・平滑回路５で直流変換して直流電源を、適用される機器の負荷８に供給するが、ＡＣスイッチ３がオフされると、オン／オフして整流・平滑回路５と負荷８との接続の離接を行うＤＣスイッチ６をオフして、整流・平滑回路５の蓄電素子５ａの蓄電電力が負荷８に供給されることを阻止する。したがって、機器の停止時（電源断時）に、速やかに蓄電素子５ａに蓄えられた電力の負荷８への供給を停止することができ、安全性を向上させることができる。【選択図】          図１
2004336894.tif 000002
【特許請求の範囲】
【請求項１】
オン／オフするＡＣスイッチ手段を介して交流電源が供給され、蓄電素子を有する整流・平滑回路で当該交流電源を直流変換して直流電源を、適用される機器の負荷に供給する電源装置において、オン／オフして前記整流・平滑回路と前記負荷との接続の離接を行うＤＣスイッチ手段が設けられ、少なくとも、前記ＡＣスイッチ手段がオフされると、当該ＤＣスイッチ手段をオフして、前記整流・平滑回路の蓄電素子の蓄電電力が前記負荷に供給されることを阻止することを特徴とする電源装置。
【請求項２】
前記ＤＣスイッチ手段は、前記ＡＣスイッチ手段に組み込まれており、当該ＡＣスイッチ手段がオフすることで、当該ＤＣスイッチ手段がオフすることを特徴とする請求項１から請求項３のいずれかに記載の電源装置。
【請求項３】
前記電源装置は、少なくとも前記ＡＣスイッチ手段のオフを検出して、当該ＡＣスイッチ手段のオフを検出すると、前記ＤＣスイッチ手段をオフするスイッチ制御手段を備えていることを特徴とする請求項１記載の電源装置。
【請求項４】
前記ＤＣスイッチ手段は、リレーであることを特徴とする請求項１から請求項３のいずれかに記載の電源装置。
【請求項５】
前記ＤＣスイッチ手段は、電界効果トランジスタであることを特徴とする請求項１から請求項３のいずれかに記載の電源装置。
【請求項６】
前記ＤＣスイッチ手段は、ロッカスイッチであることを特徴とする請求項１から請求項３のいずれかに記載の電源装置。
【請求項７】
オン／オフするＡＣスイッチ手段を介して交流電源が供給され、蓄電素子を有する整流・平滑回路で当該交流電源を直流変換して直流電源を、適用される機器の負荷に供給する電源装置において、直列接続された所定の抵抗とスイッチ手段を有し前記整流・平滑回路の出力を接地電位に接続する逃げ回路が設けられ、少なくとも、前記ＡＣスイッチ手段がオフされると、当該スイッチ手段をオンして、前記整流・平滑回路の蓄電素子の蓄電電力を、当該逃げ回路に流して、前記負荷に供給されることを阻止することを特徴とする電源装置。
【請求項８】
前記スイッチ手段は、前記ＡＣスイッチ手段に組み込まれており、当該ＡＣスイッチ手段がオフすることで、当該スイッチ手段がオンすることを特徴とする請求項７記載の電源装置。
【請求項９】
前記電源装置は、少なくとも前記ＡＣスイッチ手段のオフを検出して、当該ＡＣスイッチ手段のオフを検出すると、前記スイッチ手段をオンするスイッチ制御手段を備えていることを特徴とする請求項７記載の電源装置。
【請求項１０】
前記電源装置は、前記適用される機器の待機時等に、消費電力を削減する省エネルギ動作を行う低損失の電源装置であることを特徴とする請求項１から請求項９のいずれかに記載の電源装置。
【請求項１１】
前記電源装置は、前記適用される機器の待機時等に、消費電力を削減する省エネルギ動作を行うとともに、軽負荷時にも高効率を維持する低損失の電源装置であることを特徴とする請求項１から請求項９のいずれかに記載の電源装置。
【発明の詳細な説明】
【０００１】
【発明の属する技術分野】
本発明は、電源装置に関し、詳細には、電源オフ時の蓄電電力の出力端子からの出力を防止して、安全で、低損失・高効率な電源装置に関する。
【０００２】
【従来の技術】
【特許文献１】
特許第２８６２７１４号公報
【特許文献１】
登録第２５５１３９０号号公報
各種機器、例えば、画像形成装置においては、近年、消費電力の削減が重要な課題となっており、電源装置としても、いかに高効率、低損失を図って、消費電力を削減するかが課題となっている。
【０００３】
従来、電源装置、例えば、ＤＣ電源装置としては、ＰＷＭ制御によるスイッチング電源装置が主に用いられており、このスイッチング電源装置では、電源停止時にスイッチング電源装置の整流・平滑部に使用されている蓄電素子（アルミ電解コンデンサ等）に残っている電荷を消費するために、出力経路−グランド間にブリーダ抵抗を挿入している。
【０００４】
ところが、このブリーダ抵抗は、電源装置の動作時においても電流を消費するため、挿入されていること自体が、損失となる。
【０００５】
そこで、最近の低損失、高効率電源（以下、省エネ電源という。）は、出力経路−グランド間に挿入されるブリーダ抵抗も乗数の変更（抵抗値の増大）、または、削除され、損失を減らしてゆく方向にある。
【０００６】
しかし、ブリーダ抵抗も乗数の変更（抵抗値の増大）、または、削除することにより、スイッチング電源装置の整流・平滑部に使われている蓄電素子に残っている電荷を消費することができず、商用電源からの入力をオフ（メインスイッチがオフ）しても、スイッチング電源装置の出力端から電力が供給し続けられる。
【０００７】
スイッチング電源装置の出力端から電力が供給し続けられると、メインスイッチをオフしたユーザやサービスマン等が電源が切れたと思い、当該スイッチング電源装置の用いられている機器内の活電部に可触して怪我をしたり、活電挿抜により、機器が破壊してしまう等の問題が増えてきた。
【０００８】
そして、従来、交流入力で直流出力を行う一つの電源回路の出力にモータと電子機器本体制御部が接続されるとともに、前記制御部への電源ラインにはスイッチ回路が挿入され、さらに、前記電源回路への交流入力電圧を検出し、その交流入力電圧が略ゼロに低下した時に前記スイッチ回路をオフする、前記電源回路よりも時定数が極めて小さなスイッチオフ回路を設けてなる、モータを備える電子機器が提案されている（特許文献１参照）。
【０００９】
すなわち、この電子機器は、制御部への電源ラインにスイッチ回路が挿入されており、電源回路への交流入力電圧が略ゼロに低下すると、スイッチ回路をオフにしている。
【００１０】
また、従来、交流電源に接続され、交流電圧を直流電圧に整流するための第１の整流回路と、第１の整流回路の出力端子に接続されるスイッチング変圧器と、スイッチング変圧器に接続され、スイッチング変圧器からのスイッチング出力を直流電圧に整流するための第２の整流回路と、第２の整流回路の出力端子と、接地との間に挿入される電圧分配器と、電圧分配器からの入力電圧を受けかつ直流出力電圧の変動を検出するための電圧変動検出部と、電圧変動検出部の出力に従ってスイッチング信号を発生するためのスイッチング信号発生器と、電圧変動検出部の出力に従って、負荷に供給される直流出力電圧が正常か異常かを検出し、スイッチング信号発生器の動作を、直流出力電圧が異常なときに停止させるための保護回路と、スイッチング変圧器に接続され、変圧器から誘起される電圧を整流し、平滑キャパシタを含みスイッチング信号発生器と保護回路とに動作電圧を供給するための補助電源回路と、スイッチング変圧器と接地との間に挿入され、スイッチング信号発生器のスイッチング信号に従って繰返しスイッチング動作を行なうためのスイッチングトランジスタと、交流電源の一方入力端子に接続され、交流電源がオンかオフかどうかを検出するための交流電源遮断検出回路と、交流電源遮断検出回路からの交流電源遮断信号に従って、補助電源回路に保持される残留電荷の放電経路を形成するための放電回路とを備えるスイッチモード電源回路が提案されている（特許文献２参照）。
【００１１】
すなわち、このスイッチモード電源回路は、交流電源遮断検出回路からの交流電源遮断信号に従って、補助電源回路に保持される残留電荷の放電経路を形成するための放電回路とを備えている。
【００１２】
【発明が解決しようとする課題】
しかしながら、このような従来技術にあっては、電源装置の機器の駆動時における高効率と低損失を図るとともに、機器の停止時に蓄電素子の蓄電力が負荷に流れることを防止して、安全性を向上させる上で、改良の必要があった。
【００１３】
すなわち、上記特許文献１記載の従来技術にあっては、電源回路への交流入力電圧が略ゼロに低下すると、制御部への電源ラインに挿入されているスイッチ回路をオフにしているため、負荷であるモータの逆起電力によって制御部が影響を受けることを防止することはできるが、電源装置の内蔵しているコンデンサ等の蓄電素子に蓄えられた電力が負荷に流れることを防止することができず、スイッチング電源装置の用いられている機器内の活電部に触れて怪我をしたり、活電挿抜により、機器が破壊してしまう等の問題を解決することができず、改良の必要があった。
【００１４】
また、上記特許文献２記載の従来技術にあっては、スイッチング制御手段の動作が短時間で可能となり、電源回路の再動作が短時間で可能となるが、低損失、高効率化については考慮されておらず、また、機器の電源オフ時の安全性についても考慮されておらず、改良の必要があった。
【００１５】
そこで、請求項１記載の発明は、オン／オフするＡＣスイッチ手段を介して供給される交流電源を、蓄電素子を有する整流・平滑回路で直流変換して直流電源を、適用される機器の負荷に供給するに際して、少なくとも、ＡＣスイッチ手段がオフされると、オン／オフして整流・平滑回路と負荷との接続の離接を行うＤＣスイッチ手段をオフして、整流・平滑回路の蓄電素子の蓄電電力が負荷に供給されることを阻止することにより、機器の停止時（電源断時）に、速やかに蓄電素子に蓄えられた電力の負荷への供給を停止し、安全性の良好な電源装置を提供することを目的としている。
【００１６】
請求項２記載の発明は、ＤＣスイッチ手段を、ＡＣスイッチ手段に組み込まれ、当該ＡＣスイッチ手段がオフすることで、当該ＤＣスイッチ手段がオフするものとすることにより、小型で、ＡＣスイッチ手段のオフ時に速やかにかつ確実にＤＣスイッチ手段がオフして、より一層速やかに蓄電素子に蓄えられた電力の負荷への供給を停止し、安価かつ小型で、安全性のより一層良好な電源装置を提供することを目的としている。
【００１７】
請求項３記載の発明は、少なくともＡＣスイッチ手段のオフを検出して、当該ＡＣスイッチ手段のオフを検出すると、ＤＣスイッチ手段をオフするスイッチ制御手段を設けることにより、ＡＣスイッチ手段のオフ時に速やかにかつ確実にＤＣスイッチ手段がオフして、より一層速やかに蓄電素子に蓄えられた電力の負荷への供給を停止し、安全性のより一層良好な電源装置を提供することを目的としている。
【００１８】
請求項４記載の発明は、ＤＣスイッチ手段として、リレーを用いることにより、ＡＣスイッチ手段のオフ時に速やかにかつ確実にＤＣスイッチ手段としての安価なリレーがオフして、安価にかつ速やかに蓄電素子に蓄えられた電力の負荷への供給を停止し、安価で、安全性の良好な電源装置を提供することを目的としている。
【００１９】
請求項５記載の発明は、ＤＣスイッチ手段として、電界効果トランジスタを用いることにより、小型でかつ安価に、ＡＣスイッチ手段のオフ時に速やかにかつ確実にＤＣスイッチ手段としての電界効果トランジスタがオフして、より一層速やかに蓄電素子に蓄えられた電力の負荷への供給を停止し、安価かつ小型で、安全性のより一層良好な電源装置を提供することを目的としている。
【００２０】
請求項６記載の発明は、ＤＣスイッチ手段として、ロッカスイッチを用いることにより、ＡＣスイッチ手段のオフ時に速やかにかつ確実にＤＣスイッチ手段としての高効率なロッカスイッチがオフして、安価にかつ速やかに蓄電素子に蓄えられた電力の負荷への供給を停止し、安価で、安全性の良好な電源装置を提供することを目的としている。
【００２１】
請求項７記載の発明は、オン／オフするＡＣスイッチ手段を介して供給される交流電源を、蓄電素子を有する整流・平滑回路で直流変換して直流電源を、適用される機器の負荷に供給するに際して、少なくとも、ＡＣスイッチ手段がオフされると、直列接続された所定の抵抗とスイッチ手段を有し整流・平滑回路の出力を接地電位に接続する逃げ回路の当該スイッチ手段をオンして、整流・平滑回路の蓄電素子の蓄電電力を、当該逃げ回路に流して、負荷に供給されることを阻止することにより、機器の停止時（電源断時）に、速やかに蓄電素子に蓄えられた電力を逃げ回路の抵抗に消費させて、負荷に供給されることを停止し、安全性の良好な電源装置を提供することを目的としている。
【００２２】
請求項８記載の発明は、スイッチ手段を、ＡＣスイッチ手段に組み込まれ、当該ＡＣスイッチ手段がオフすることで、当該スイッチ手段がオンするものとすることにより、小型で、ＡＣスイッチ手段のオフ時に速やかにかつ確実にスイッチ手段がオンして、より一層速やかに蓄電素子に蓄えられた電力の負荷への供給を停止し、安価かつ小型で、安全性のより一層良好な電源装置を提供することを目的としている。
【００２３】
請求項９記載の発明は、少なくともＡＣスイッチ手段のオフを検出して、当該ＡＣスイッチ手段のオフを検出すると、スイッチ手段をオンするスイッチ制御手段を設けることにより、ＡＣスイッチ手段のオフ時に速やかにかつ確実にスイッチ手段がオンして、より一層速やかに蓄電素子に蓄えられた電力の負荷への供給を停止し、安全性のより一層良好な電源装置を提供することを目的としている。
請求項１０記載の発明は、電源装置として、適用される機器の待機時等に、消費電力を削減する省エネルギ動作を行う低損失の電源装置を用いることにより、機器の動作時には、低損失・高効率を維持し、機器の停止時（電源断時）には、速やかに蓄電素子に蓄えられた電力が負荷に供給されることを停止し、低損失・高効率で、安全性の良好な電源装置を提供することを目的としている。
【００２４】
請求項１１記載の発明は、電源装置として、適用される機器の待機時等に、消費電力を削減する省エネルギ動作を行うとともに、軽負荷時にも高効率を維持する低損失の電源装置を用いることにより、機器の動作時には、低損失・高効率を維持し、機器の停止時（電源断時）には、速やかに蓄電素子に蓄えられた電力が負荷に供給されることを停止し、低損失・高効率で、安全性の良好な電源装置を提供することを目的としている。
【００２５】
【課題を解決するための手段】
請求項１記載の発明の電源装置は、オン／オフするＡＣスイッチ手段を介して交流電源が供給され、蓄電素子を有する整流・平滑回路で当該交流電源を直流変換して直流電源を、適用される機器の負荷に供給する電源装置において、オン／オフして前記整流・平滑回路と前記負荷との接続の離接を行うＤＣスイッチ手段が設けられ、少なくとも、前記ＡＣスイッチ手段がオフされると、当該ＤＣスイッチ手段をオフして、前記整流・平滑回路の蓄電素子の蓄電電力が前記負荷に供給されることを阻止することにより、上記目的を達成している。
【００２６】
上記構成によれば、オン／オフするＡＣスイッチ手段を介して供給される交流電源を、蓄電素子を有する整流・平滑回路で直流変換して直流電源を、適用される機器の負荷に供給するに際して、少なくとも、ＡＣスイッチ手段がオフされると、オン／オフして整流・平滑回路と負荷との接続の離接を行うＤＣスイッチ手段をオフして、整流・平滑回路の蓄電素子の蓄電電力が負荷に供給されることを阻止するので、機器の停止時（電源断時）に、速やかに蓄電素子に蓄えられた電力の負荷への供給を停止することができ、安全性を向上させることができる。
【００２７】
この場合、例えば、請求項２に記載するように、前記ＤＣスイッチ手段は、前記ＡＣスイッチ手段に組み込まれており、当該ＡＣスイッチ手段がオフすることで、当該ＤＣスイッチ手段がオフするものであってもよい。
【００２８】
上記構成によれば、ＤＣスイッチ手段を、ＡＣスイッチ手段に組み込まれ、当該ＡＣスイッチ手段がオフすることで、当該ＤＣスイッチ手段がオフするものとしているので、小型で、ＡＣスイッチ手段のオフ時に速やかにかつ確実にＤＣスイッチ手段がオフして、より一層速やかに蓄電素子に蓄えられた電力の負荷への供給を停止することができ、安価かつ小型化することができるとともに、安全性をより一層向上させることができる。
【００２９】
また、例えば、請求項３に記載するように、前記電源装置は、少なくとも前記ＡＣスイッチ手段のオフを検出して、当該ＡＣスイッチ手段のオフを検出すると、前記ＤＣスイッチ手段をオフするスイッチ制御手段を備えているものであってもよい。
【００３０】
上記構成によれば、少なくともＡＣスイッチ手段のオフを検出して、当該ＡＣスイッチ手段のオフを検出すると、ＤＣスイッチ手段をオフするスイッチ制御手段を設けているので、ＡＣスイッチ手段のオフ時に速やかにかつ確実にＤＣスイッチ手段がオフして、より一層速やかに蓄電素子に蓄えられた電力の負荷への供給を停止することができ、安全性をより一層向上させることができる。
【００３１】
さらに、例えば、請求項４に記載するように、前記ＤＣスイッチ手段は、リレーであってもよい。
【００３２】
上記構成によれば、ＤＣスイッチ手段として、リレーを用いているので、ＡＣスイッチ手段のオフ時に速やかにかつ確実にＤＣスイッチ手段としての安価なリレーがオフして、安価にかつ速やかに蓄電素子に蓄えられた電力の負荷への供給を停止することができ、安価なもとすることができるとともに、安全性を向上させることができる。
【００３３】
また、例えば、請求項５に記載するように、前記ＤＣスイッチ手段は、電界効果トランジスタであってもよい。
【００３４】
上記構成によれば、ＤＣスイッチ手段として、電界効果トランジスタを用いているので、小型でかつ安価に、ＡＣスイッチ手段のオフ時に速やかにかつ確実にＤＣスイッチ手段としての電界効果トランジスタがオフして、より一層速やかに蓄電素子に蓄えられた電力の負荷への供給を停止することができ、安価かつ小型なものとすることができるとともに、安全性をより一層向上させることができる。
【００３５】
さらに、例えば、請求項６に記載するように、前記ＤＣスイッチ手段は、ロッカスイッチであってもよい。
【００３６】
上記構成によれば、ＤＣスイッチ手段として、ロッカスイッチを用いているので、ＡＣスイッチ手段のオフ時に速やかにかつ確実にＤＣスイッチ手段としての高効率なロッカスイッチがオフして、安価にかつ速やかに蓄電素子に蓄えられた電力の負荷への供給を停止することができ、安価なものとすることができるとともに、安全性をより一層向上させることができる。
【００３７】
請求項７記載の発明の電源装置は、オン／オフするＡＣスイッチ手段を介して交流電源が供給され、蓄電素子を有する整流・平滑回路で当該交流電源を直流変換して直流電源を、適用される機器の負荷に供給する電源装置において、直列接続された所定の抵抗とスイッチ手段を有し前記整流・平滑回路の出力を接地電位に接続する逃げ回路が設けられ、少なくとも、前記ＡＣスイッチ手段がオフされると、当該スイッチ手段をオンして、前記整流・平滑回路の蓄電素子の蓄電電力を、当該逃げ回路に流して、前記負荷に供給されることを阻止することにより、上記目的を達成している。
【００３８】
上記構成によれば、オン／オフするＡＣスイッチ手段を介して供給される交流電源を、蓄電素子を有する整流・平滑回路で直流変換して直流電源を、適用される機器の負荷に供給するに際して、少なくとも、ＡＣスイッチ手段がオフされると、直列接続された所定の抵抗とスイッチ手段を有し整流・平滑回路の出力を接地電位に接続する逃げ回路の当該スイッチ手段をオンして、整流・平滑回路の蓄電素子の蓄電電力を、当該逃げ回路に流して、負荷に供給されることを阻止するので、機器の停止時（電源断時）に、速やかに蓄電素子に蓄えられた電力を逃げ回路の抵抗に消費させて、負荷に供給されることを停止することができ、安全性を向上させることができる。
【００３９】
請求項７の場合、例えば、請求項８に記載するように、前記スイッチ手段は、前記ＡＣスイッチ手段に組み込まれており、当該ＡＣスイッチ手段がオフすることで、当該スイッチ手段がオンするものであってもよい。
【００４０】
上記構成によれば、スイッチ手段を、ＡＣスイッチ手段に組み込まれ、当該ＡＣスイッチ手段がオフすることで、当該スイッチ手段がオンするものとしているので、ＡＣスイッチ手段のオフ時に速やかにかつ確実にスイッチ手段がオンして、より一層速やかに蓄電素子に蓄えられた電力の負荷への供給を停止することができ、安価かつ小型なものとすることができるとともに、安全性をより一層向上させることができる。
【００４１】
また、例えば、請求項９に記載するように、前記電源装置は、少なくとも前記ＡＣスイッチ手段のオフを検出して、当該ＡＣスイッチ手段のオフを検出すると、前記スイッチ手段をオンするスイッチ制御手段を備えているものであってもよい。
【００４２】
上記構成によれば、少なくともＡＣスイッチ手段のオフを検出して、当該ＡＣスイッチ手段のオフを検出すると、スイッチ手段をオンするスイッチ制御手段を設けているので、ＡＣスイッチ手段のオフ時に速やかにかつ確実にスイッチ手段がオンして、より一層速やかに蓄電素子に蓄えられた電力の負荷への供給を停止することができ、安全性をより一層向上させることができる。
【００４３】
上記各場合において、例えば、請求項１０に記載するように、前記電源装置は、前記適用される機器の待機時等に、消費電力を削減する省エネルギ動作を行う低損失の電源装置であってもよい。
【００４４】
上記構成によれば、電源装置として、適用される機器の待機時等に、消費電力を削減する省エネルギ動作を行う低損失の電源装置を用いているので、機器の動作時には、低損失・高効率を維持し、機器の停止時（電源断時）には、速やかに蓄電素子に蓄えられた電力が負荷に供給されることを停止することができ、低損失・高効率で、安全性の良好なものとすることができる。
【００４５】
また、例えば、請求項１１に記載するように、前記電源装置は、前記適用される機器の待機時等に、消費電力を削減する省エネルギ動作を行うとともに、軽負荷時にも高効率を維持する低損失の電源装置であってもよい。
【００４６】
上記構成によれば、電源装置として、適用される機器の待機時等に、消費電力を削減する省エネルギ動作を行うとともに、軽負荷時にも高効率を維持する低損失の電源装置を用いているので、機器の動作時には、低損失・高効率を維持し、機器の停止時（電源断時）には、速やかに蓄電素子に蓄えられた電力が負荷に供給されることを停止することができ、低損失・高効率で、安全性の良好なものとすることができる。
【００４７】
【発明の実施の形態】
以下、本発明の好適な実施の形態を添付図面に基づいて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００４８】
図１は、本発明の電源装置の第１の実施の形態を適用した電源装置１の要部回路構成図であり、本実施の形態は、請求項１、請求項２、請求項１０、請求項１１に対応するものである。
【００４９】
図１において、電源装置１は、入力ヒューズ２、ＡＣスイッチ３、ノイズフィルタ４、整流・平滑部５、ＤＣスイッチ６等を備えており、電源装置１の出力端子７に、電源装置１の適用されている機器、例えば、複写装置、プリンタ等の機の負荷８が接続されている。
【００５０】
電源装置１には、交流の商用電源１０が入力ヒューズ２を介してＡＣスイッチ（ＡＣスイッチ手段）３に供給され、商用電源１０は、例えば、１００Ｖ〜２４０Ｖの交流である。
【００５１】
ＡＣスイッチ３は、オン／オフ操作されることで、商用電源１０とノイズフィルタ４との接続を接離する。
【００５２】
ノイズフィルタ４は、商用電源１０のノイズを除去して、整流・平滑部５に商用電源１０を供給する。
【００５３】
整流・平滑部５は、内部にコンデンサ等の蓄電素子５ａを備えており、商用電源１０を整流するとともに、平滑化して、直流電源を出力端子７間にに供給する。
【００５４】
この整流・平滑部５と出力端子７との間に、ＤＣスイッチ（ＤＣスイッチ手段）６が配設されており、ＤＣスイッチ６は、少なくとも、ＡＣスイッチ３がオフすると、連動してオフする。ＤＣスイッチ６は、オンすると、整流・平滑部５からの直流電源を出力端子７から負荷８に供給させ、オフすると、整流・平滑部５からの直流電源の出力端子７から負荷８への供給を停止する。この場合、ＤＣスイッチ６は、ＡＣスイッチ３の構成の一部に組み込まれた構成となっていてもよく、この場合、ＡＣスイッチ３がオンすると、ＤＣスイッチ６もオンし、ＡＣスイッチ３がオフすると、ＤＣスイッチ６もオフする。
【００５５】
負荷８は、電源装置１の適用される機器の負荷であり、抵抗成分ＲやインダクタンスＬ等からなる負荷である。
【００５６】
そして、電源装置１は、消費電源を抑え、軽負荷時においても高効率を維持する低損失、高効率な省エネルギー電源であり、例えば、整流用のスイッチング素子としてＩＰＤ（インテリジェントパワーデバイス）素子を用いた電源装置、または、軽負荷時にスイッチング周波数を間引きする電源装置、あるいは、間欠発振する電源装置である。
【００５７】
次に、本実施の形態の作用を説明する。本実施の形態の電源装置１は、機器の動作時には、低損失・高効率を維持し、機器の停止時（電源断時）には、速やかに蓄電素子５ａに蓄えられた電力の供給を停止する。
【００５８】
すなわち、電源装置１は、消費電源を抑え、軽負荷時においても高効率を維持する低損失、高効率な省エネルギー電源装置である。そして、電源装置１は、電源装置１の適用される機器の動作時には、商用電源１０から入力ヒューズ２及びＡＣスイッチ３を介して供給される交流電源を、ノイズフィルタ４でノイズを除去して、整流・平滑部５に供給し、整流・平滑部５で整流・平滑した直流電源をＤＣスイッチ６を介して、出力端子７から負荷８へ、低損失・高効率で供給する。
【００５９】
そして、電源装置１は、ＤＣスイッチ６がＡＣスイッチ３と連動して動作、あるいは、ＤＣスイッチ６がＡＣスイッチ３の構成の一部に組み込まれた構成となっていて、ＡＣスイッチ３がオフされると、ＤＣスイッチ６がオフする。
【００６０】
したがって、機器の停止に際して、ＡＣスイッチ３がオフされると、ＤＣスイッチ６がオフし、整流・平滑部５内の蓄電素子５ａに蓄電されていた電力が負荷８へ供給されることを防止する。
【００６１】
このように、本実施の形態の電源装置１は、オン／オフするＡＣスイッチ３を介して供給される交流電源を、蓄電素子５ａを有する整流・平滑回路５で直流変換して直流電源を、適用される機器の負荷８に供給するに際して、少なくとも、ＡＣスイッチ３がオフされると、オン／オフして整流・平滑回路５と負荷８との接続の離接を行うＤＣスイッチ６をオフして、整流・平滑回路５の蓄電素子５ａの蓄電電力が負荷８に供給されることを阻止している。
【００６２】
したがって、機器の停止時（電源断時）に、速やかに蓄電素子５ａに蓄えられた電力の負荷８への供給を停止することができ、安全性を向上させることができる。
【００６３】
また、本実施の形態の電源装置１は、ＤＣスイッチ６を、ＡＣスイッチ３に組み込まれ、当該ＡＣスイッチ３がオフすることで、ＤＣスイッチ６がオフするものとしている。
【００６４】
したがって、小型で、ＡＣスイッチ３のオフ時に速やかにかつ確実にＤＣスイッチ６がオフして、より一層速やかに蓄電素子５ａに蓄えられた電力の負荷８への供給を停止することができ、安価かつ小型化することができるとともに、安全性をより一層向上させることができる。
【００６５】
さらに、本実施の形態の電源装置１は、適用される機器の待機時等に、消費電力を削減する省エネルギ動作を行う低損失の電源装置である。
【００６６】
したがって、機器の動作時には、低損失・高効率を維持し、機器の停止時（電源断時）には、速やかに蓄電素子５ａに蓄えられた電力が負荷８に供給されることを停止することができ、低損失・高効率で、安全性の良好なものとすることができる。
【００６７】
また、本実施の形態の電源装置１は、適用される機器の待機時等に、消費電力を削減する省エネルギ動作を行うとともに、軽負荷時にも高効率を維持する低損失の電源装置である。
【００６８】
したがって、機器の動作時には、低損失・高効率を維持し、機器の停止時（電源断時）には、速やかに蓄電素子５ａに蓄えられた電力が負荷８に供給されることを停止することができ、低損失・高効率で、安全性の良好なものとすることができる。
【００６９】
図２は、本発明の電源装置の第２の実施の形態を適用した電源装置２０の要部回路構成図であり、本実施の形態は、請求項３、請求項１０、請求項１１に対応するものである。
【００７０】
なお、本実施の形態は、上記第１の実施の形態の電源装置１と同様の電源装置２０に適用したものであり、本実施の形態の説明においては、上記第１の実施の形態の電源装置１と同様の構成部分には、同一の符号を付して、その詳細な説明を省略する。
【００７１】
図２において、電源装置２０は、上記第１の実施の形態の電源装置１と同様の入力ヒューズ２、ＡＣスイッチ３、ノイズフィルタ４及び整流・平滑部５等を備えていて、電源装置１の出力端子７に負荷８が接続されているとともに、検知／制御回路２１とＤＣスイッチ２２を備えている。電源装置２０は、消費電源を抑え、軽負荷時においても高効率を維持する低損失、高効率な省エネルギー電源であり、例えば、整流用のスイッチング素子としてＩＰＤ素子を用いた電源装置、または、軽負荷時にスイッチング周波数を間引きする電源装置、あるいは、間欠発振する電源装置である。
【００７２】
検知／制御回路（スイッチ制御手段）２１は、少なくとも、ＡＣスイッチ３のオフ操作を検知して、ＤＣスイッチ２２をオフさせる。
【００７３】
ＤＣスイッチ（ＤＣスイッチ手段）２２は、検知／制御回路２１により、オン／オフ動作が制御され、検知／制御回路２１は、ＡＣスイッチ３がオンされているときには、ＤＣスイッチ２２をオンし、ＡＣスイッチ３がオフされたことを検出すると、ＤＣスイッチ２２をオフする。
【００７４】
すなわち、本実施の形態の電源装置２０は、消費電源を抑え、軽負荷時においても高効率を維持する低損失、高効率な省エネルギー電源装置であり、電源装置２０の適用される機器の動作時には、商用電源２０から入力ヒューズ２及びＡＣスイッチ３を介して供給される交流電源をノイズフィルタ４でノイズを除去して、整流・平滑部５に供給し、整流・平滑部５で整流・平滑した直流電源をＤＣスイッチ２２を介して、出力端子７から負荷８へ、低損失・高効率で供給する。
【００７５】
そして、電源装置２０は、ＡＣスイッチ３がオフされると、ＡＣスイッチ３がオフされたことを検知／制御回路２１が検出して、検知／制御回路２１がＤＣスイッチ２２をオフする。
【００７６】
したがって、機器の停止に際して、ＡＣスイッチ３がオフされると、検知／制御回路２１がＤＣスイッチ２２をオフし、整流・平滑部５内の蓄電素子５ａに蓄電されていた電力が負荷８へ供給されることを防止する。
【００７７】
このように、本実施の形態の電源装置２０は、少なくともＡＣスイッチ３のオフを検出して、当該ＡＣスイッチ３のオフを検出すると、ＤＣスイッチ２２をオフする検知／制御回路２１を設けている。
【００７８】
したがって、ＡＣスイッチ３のオフ時に速やかにかつ確実にＤＣスイッチ２２がオフして、より一層速やかに蓄電素子５ａに蓄えられた電力の負荷８への供給を停止することができ、安全性をより一層向上させることができる。
【００７９】
また、本実施の形態の電源装置２０は、適用される機器の待機時等に、消費電力を削減する省エネルギ動作を行う低損失の電源装置、または、適用される機器の待機時等に、消費電力を削減する省エネルギ動作を行うとともに、軽負荷時にも高効率を維持する低損失の電源装置である。
【００８０】
したがって、機器の動作時には、低損失・高効率を維持し、機器の停止時（電源断時）には、速やかに蓄電素子５ａに蓄えられた電力が負荷８に供給されることを停止することができ、低損失・高効率で、安全性の良好なものとすることができる。
【００８１】
図３は、本発明の電源装置の第３の実施の形態を適用した電源装置３０の要部回路構成図であり、本実施の形態は、請求項４、請求項１０、請求項１１に対応するものである。
【００８２】
なお、本実施の形態は、上記第１の実施の形態の電源装置１と同様の電源装置３０に適用したものであり、本実施の形態の説明においては、上記第１の実施の形態の電源装置１と同様の構成部分には、同一の符号を付して、その詳細な説明を省略する。
【００８３】
図３において、電源装置３０は、上記第１の実施の形態の電源装置１と同様の入力ヒューズ２、ＡＣスイッチ３、ノイズフィルタ４、整流・平滑部５等を備えていて、電源装置３０の出力端子７に負荷８が接続されているとともに、検知／制御回路３１及びリレー３２を備えている。電源装置３０は、消費電源を抑え、軽負荷時においても高効率を維持する低損失、高効率な省エネルギー電源であり、例えば、整流用のスイッチング素子としてＩＰＤ素子を用いた電源装置、または、軽負荷時にスイッチング周波数を間引きする電源装置、あるいは、間欠発振する電源装置である。
【００８４】
検知／制御回路（スイッチ制御手段）３１は、ＡＣスイッチ３のオン／オフ操作を検知して、リレー３２をオン／オフさせる。
【００８５】
リレー（ＤＣスイッチ手段）３２は、検知／制御回路３１により、オン／オフ動作が制御され、検知／制御回路３１は、ＡＣスイッチ３がオンされているときには、リレー３２をオンし、ＡＣスイッチ３がオフされたことを検出すると、リレー３２をオフする。
【００８６】
したがって、電源装置３０は、機器の停止に際して、ＡＣスイッチ３がオフされると、検知／制御回路３１がリレー３２をオフし、整流・平滑部５内の蓄電素子５ａに蓄電されていた電力が負荷８へ供給されることを防止する。
【００８７】
このように、本実施の形態の電源装置３０は、ＤＣスイッチ手段として、リレー３２を用いている。
【００８８】
したがって、ＡＣスイッチ３のオフ時に速やかにかつ確実にＤＣスイッチ手段としての安価なリレー３２がオフして、安価にかつ速やかに蓄電素子５ａに蓄えられた電力の負荷８への供給を停止することができ、安価なもとすることができるとともに、安全性を向上させることができる。
【００８９】
また、本実施の形態の電源装置３０は、適用される機器の待機時等に、消費電力を削減する省エネルギ動作を行う低損失の電源装置、または、適用される機器の待機時等に、消費電力を削減する省エネルギ動作を行うとともに、軽負荷時にも高効率を維持する低損失の電源装置である。
【００９０】
したがって、機器の動作時には、低損失・高効率を維持し、機器の停止時（電源断時）には、速やかに蓄電素子５ａに蓄えられた電力が負荷８に供給されることを停止することができ、低損失・高効率で、安全性の良好なものとすることができる。
【００９１】
図４は、本発明の電源装置の第４の実施の形態を適用した電源装置４０の要部回路構成図であり、本実施の形態は、請求項５、請求項１０、請求項１１に対応するものである。
【００９２】
なお、本実施の形態は、上記第１の実施の形態の電源装置１と同様の電源装置４０に適用したものであり、本実施の形態の説明においては、上記第１の実施の形態の電源装置１と同様の構成部分には、同一の符号を付して、その詳細な説明を省略する。
【００９３】
図４において、電源装置４０は、上記第１の実施の形態の電源装置１と同様の入力ヒューズ２、ＡＣスイッチ３、ノイズフィルタ４、整流・平滑部５等を備えていて、電源装置４０の出力端子７に負荷８が接続されているとともに、検知／制御回路４１及びＦＥＴ（（Ｆｉｅｌｄ  Ｅｆｆｅｃｔ  Ｔｒａｎｓｉｓｔｏｒ  ：電解効果トランジスタ）４２を備えている。電源装置４０は、消費電源を抑え、軽負荷時においても高効率を維持する低損失、高効率な省エネルギー電源であり、例えば、整流用のスイッチング素子としてＩＰＤ素子を用いた電源装置、または、軽負荷時にスイッチング周波数を間引きする電源装置、あるいは、間欠発振する電源装置である。
【００９４】
検知／制御回路（スイッチ制御手段）４１は、ＡＣスイッチ３のオン／オフ操作を検知して、ＦＥＴ４２をオン／オフさせる。
【００９５】
ＦＥＴ（ＤＣスイッチ手段）４２は、検知／制御回路４１により、オン／オフ動作が制御され、検知／制御回路４１は、ＡＣスイッチ３がオンされているときには、ＦＥＴ４２をオンし、ＡＣスイッチ３がオフされたことを検出すると、ＦＥＴ４２をオフする。
【００９６】
したがって、電源装置４０は、機器の停止に際して、ＡＣスイッチ３がオフされると、検知／制御回路４１がＦＥＴ４２をオフし、整流・平滑部５内の蓄電素子５ａに蓄電されていた電力が負荷８へ供給されることを防止する。
【００９７】
このように、本実施の形態の電源装置４０は、ＤＣスイッチ手段として、ＦＥＴ（電界効果トランジスタ）４２を用いている。
【００９８】
したがって、小型でかつ安価に、ＡＣスイッチ３のオフ時に速やかにかつ確実にＤＣスイッチ手段としてのＦＥＴ４２がオフして、より一層速やかに蓄電素子５ａに蓄えられた電力の負荷８への供給を停止することができ、安価かつ小型なものとすることができるとともに、安全性をより一層向上させることができる。
【００９９】
また、本実施の形態の電源装置４０は、適用される機器の待機時等に、消費電力を削減する省エネルギ動作を行う低損失の電源装置、または、適用される機器の待機時等に、消費電力を削減する省エネルギ動作を行うとともに、軽負荷時にも高効率を維持する低損失の電源装置である。
【０１００】
したがって、機器の動作時には、低損失・高効率を維持し、機器の停止時（電源断時）には、速やかに蓄電素子５ａに蓄えられた電力が負荷８に供給されることを停止することができ、低損失・高効率で、安全性の良好なものとすることができる。
【０１０１】
図５は、本発明の電源装置の第５の実施の形態を適用した電源装置５０の要部回路構成図であり、本実施の形態は、請求項６、請求項１０、請求項１１に対応するものである。
【０１０２】
なお、本実施の形態は、上記第１の実施の形態の電源装置１と同様の電源装置５０に適用したものであり、本実施の形態の説明においては、上記第１の実施の形態の電源装置１と同様の構成部分には、同一の符号を付して、その詳細な説明を省略する。
【０１０３】
図５において、電源装置５０は、上記第１の実施の形態の電源装置１と同様の入力ヒューズ２、ＡＣスイッチ３、ノイズフィルタ４、整流・平滑部５等を備えていて、電源装置５０の出力端子７に負荷８が接続されているとともに、検知／制御回路５１及びロッカスイッチ５２を備えている。電源装置５０は、消費電源を抑え、軽負荷時においても高効率を維持する低損失、高効率な省エネルギー電源であり、例えば、整流用のスイッチング素子としてＩＰＤ素子を用いた電源装置、または、軽負荷時にスイッチング周波数を間引きする電源装置、あるいは、間欠発振する電源装置である。
【０１０４】
検知／制御回路（スイッチ制御手段）５１は、ＡＣスイッチ３のオン／オフ操作を検知して、ロッカスイッチ５２をオン／オフさせる。
【０１０５】
ロッカスイッチ（ＤＣスイッチ手段）５２は、低損失・高効率で、検知／制御回路５１により、オン／オフ動作が制御される。検知／制御回路５１は、ＡＣスイッチ３がオンされているときには、ロッカスイッチ５２をオンし、ＡＣスイッチ３がオフされたことを検出すると、ロッカスイッチ５２をオフする。
【０１０６】
したがって、電源装置５０は、機器の停止に際して、ＡＣスイッチ３がオフされると、検知／制御回路５１がロッカスイッチ５２をオフし、整流・平滑部５内の蓄電素子５ａに蓄電されていた電力が負荷８へ供給されることを防止する。
【０１０７】
このように、本実施の形態の電源装置５０は、ＤＣスイッチ手段として、ロッカスイッチ５２を用いている。
【０１０８】
したがって、ＡＣスイッチ３のオフ時に速やかにかつ確実にＤＣスイッチ手段としての高効率なロッカスイッチ５２がオフして、安価にかつ速やかに蓄電素子５ａに蓄えられた電力の負荷８への供給を停止することができ、安価なものとすることができるとともに、安全性をより一層向上させることができる。
【０１０９】
また、本実施の形態の電源装置５０は、適用される機器の待機時等に、消費電力を削減する省エネルギ動作を行う低損失の電源装置、または、適用される機器の待機時等に、消費電力を削減する省エネルギ動作を行うとともに、軽負荷時にも高効率を維持する低損失の電源装置である。
【０１１０】
したがって、機器の動作時には、低損失・高効率を維持し、機器の停止時（電源断時）には、速やかに蓄電素子５ａに蓄えられた電力が負荷８に供給されることを停止することができ、低損失・高効率で、安全性の良好なものとすることができる。
【０１１１】
図６は、本発明の電源装置の第６の実施の形態を適用した電源装置６０の要部回路構成図であり、本実施の形態は、請求項７、請求項８、請求項１０、請求項１１に対応するものである。
【０１１２】
なお、本実施の形態は、上記第１の実施の形態の電源装置１と同様の電源装置６０に適用したものであり、本実施の形態の説明においては、上記第１の実施の形態の電源装置１と同様の構成部分には、同一の符号を付して、その詳細な説明を省略する。
【０１１３】
図６において、電源装置６０は、上記第１の実施の形態の電源装置１と同様の入力ヒューズ２、ＡＣスイッチ３、ノイズフィルタ４、整流・平滑部５等を備えていて、電源装置６０の出力端子７に負荷８が接続されているとともに、ブリーダ抵抗６１及びブリーダスイッチ６２からなる逃げ回路６３を備えている。電源装置６０は、消費電源を抑え、軽負荷時においても高効率を維持する低損失、高効率な省エネルギー電源であり、例えば、整流用のスイッチング素子としてＩＰＤ素子を用いた電源装置、または、軽負荷時にスイッチング周波数を間引きする電源装置、あるいは、間欠発振する電源装置である。
【０１１４】
逃げ回路６３は、ブリーダ抵抗（抵抗）６１とブリーダスイッチ（スイッチ手段）６２が、直列接続され、整流・平滑部５と出力端子７との間の出力線と接地線との配線間に設けられている。
【０１１５】
ブリーダスイッチ６２は、ブリーダ抵抗６１に直列に接続されていて、オン／オフすることで、ブリーダ抵抗６１に流れる電流をオン／オフし、ブリーダ抵抗６１は、出力端子７に接続される負荷８に対して並列に接続されていて、ブリーダスイッチ６２がオン時に電流が流れて、負荷８に流れる電流を制限する。
【０１１６】
ブリーダスイッチ６２は、少なくとも、ＡＣスイッチ３がオフすると、連動してオンする。ブリーダスイッチ６２は、オンすると、ブリーダ抵抗６１に電流を流し、オフすると、ブリーダ抵抗６１に流れる電流を遮断する。この場合、ブリーダスイッチ６２は、ＡＣスイッチ３の構成の一部に組み込まれた構成となっていてもよく、この場合、ＡＣスイッチ３がオンすると、ブリーダスイッチ６２がオフし、ＡＣスイッチ３がオフすると、ブリーダスイッチ６２がオンする。
【０１１７】
したがって、電源装置６０は、機器の停止に際して、ＡＣスイッチ３がオフされると、ＡＣスイッチ３に連動してブリーダスイッチ６２がオンし、整流・平滑部５内の蓄電素子５ａに蓄電されていた電力がブリーダ抵抗６１で消費されて、負荷８へ供給されることを防止する。
【０１１８】
このように、本実施の形態の電源装置６０は、オン／オフするＡＣスイッチ３を介して供給される交流電源を、蓄電素子５ａを有する整流・平滑回路５で直流変換して直流電源を、適用される機器の負荷８に供給するに際して、少なくとも、ＡＣスイッチ３がオフされると、直列接続されたブリーダ抵抗６１とブリーダスイッチ６２を有し整流・平滑回路５の出力を接地電位に接続する逃げ回路６３のブリーダスイッチ６２をオンして、整流・平滑回路５の蓄電素子５ａの蓄電電力を、逃げ回路６３に流して、負荷８に供給されることを阻止している。
【０１１９】
したがって、機器の停止時（電源断時）に、速やかに蓄電素子５ａに蓄えられた電力を逃げ回路６３のブリーダ抵抗６１に消費させて、負荷８に供給されることを停止することができ、安全性を向上させることができる。
【０１２０】
また、本実施の形態の電源装置６０は、ブリーダスイッチ６２を、ＡＣスイッチ３に組み込まれ、ＡＣスイッチ３がオフすることで、ブリーダスイッチ５２がオンするものとしている。
【０１２１】
したがって、ＡＣスイッチ３のオフ時に速やかにかつ確実にブリーダスイッチ６２がオンして、より一層速やかに蓄電素子５ａに蓄えられた電力の負荷８への供給を停止することができ、安価かつ小型なものとすることができるとともに、安全性をより一層向上させることができる。
【０１２２】
さらに、本実施の形態の電源装置６０は、適用される機器の待機時等に、消費電力を削減する省エネルギ動作を行う低損失の電源装置、または、適用される機器の待機時等に、消費電力を削減する省エネルギ動作を行うとともに、軽負荷時にも高効率を維持する低損失の電源装置である。
【０１２３】
したがって、機器の動作時には、低損失・高効率を維持し、機器の停止時（電源断時）には、速やかに蓄電素子５ａに蓄えられた電力が負荷８に供給されることを停止することができ、低損失・高効率で、安全性の良好なものとすることができる。
【０１２４】
図７は、本発明の電源装置の第７の実施の形態を適用した電源装置７０の要部回路構成図であり、本実施の形態は、請求項９〜請求項１１に対応するものである。
【０１２５】
なお、本実施の形態は、上記第１の実施の形態の電源装置１と同様の電源装置７０に適用したものであり、本実施の形態の説明においては、上記第１の実施の形態の電源装置１と同様の構成部分には、同一の符号を付して、その詳細な説明を省略する。
【０１２６】
図７において、電源装置７０は、上記第１の実施の形態の電源装置１と同様の入力ヒューズ２、ＡＣスイッチ３、ノイズフィルタ４、整流・平滑部５等を備えていて、電源装置７０の出力端子７に負荷８が接続されているとともに、検知／制御回路７１、ブリーダ抵抗７２及びブリーダスイッチ７３からなる逃げ回路７４を備えている。電源装置７０は、消費電源を抑え、軽負荷時においても高効率を維持する低損失、高効率な省エネルギー電源であり、例えば、整流用のスイッチング素子としてＩＰＤ素子を用いた電源装置、または、軽負荷時にスイッチング周波数を間引きする電源装置、あるいは、間欠発振する電源装置である。
【０１２７】
逃げ回路７４は、ブリーダ抵抗（抵抗）７２とブリーダスイッチ（スイッチ手段）７３が直列接続され、整流・平滑部５と出力端子７との間の出力線と接地線との配線間に設けられている。
【０１２８】
ブリーダスイッチ７３は、ブリーダ抵抗７２に直列に接続されていて、オン／オフすることで、ブリーダ抵抗７２に流れる電流をオン／オフし、ブリーダ抵抗７２は、出力端子７に接続される負荷８に対して並列に接続されていて、ブリーダスイッチ７３がオン時に電流が流れて、負荷８に流れる電流を制限する。
【０１２９】
検知／制御回路（スイッチ制御手段）７１は、ＡＣスイッチ３のオン／オフ操作を検知して、リレー３２ブリーダスイッチ７３をオン／オフさせる。
【０１３０】
ブリーダスイッチ７３は、検知／制御回路７１により、オン／オフ動作が制御され、オンすると、ブリーダ抵抗７２に電流を流し、オフすると、ブリーダ抵抗７２に流れる電流を遮断する。
【０１３１】
したがって、電源装置７０は、機器の停止に際して、ＡＣスイッチ３がオフされると、検知／制御回路７１がブリーダスイッチ７３をオンし、整流・平滑部５内の蓄電素子５ａに蓄電されていた電力がブリーダ抵抗６１で消費されて、負荷８へ供給されることを防止する。
【０１３２】
このように、本実施の形態の電源装置７０は、少なくともＡＣスイッチ３のオフを検出して、ＡＣスイッチ３のオフを検出すると、ブリーダスイッチ７３をオンする検知／制御回路７１を設けている。
【０１３３】
したがって、ＡＣスイッチ３のオフ時に速やかにかつ確実にブリーダスイッチ７２がオンして、より一層速やかに蓄電素子５ａに蓄えられた電力の負荷８への供給を停止することができ、安全性をより一層向上させることができる。
【０１３４】
また、本実施の形態の電源装置７０は、適用される機器の待機時等に、消費電力を削減する省エネルギ動作を行う低損失の電源装置、または、適用される機器の待機時等に、消費電力を削減する省エネルギ動作を行うとともに、軽負荷時にも高効率を維持する低損失の電源装置である。
【０１３５】
したがって、機器の動作時には、低損失・高効率を維持し、機器の停止時（電源断時）には、速やかに蓄電素子５ａに蓄えられた電力が負荷８に供給されることを停止することができ、低損失・高効率で、安全性の良好なものとすることができる。
【０１３６】
以上、本発明者によってなされた発明を好適な実施の形態に基づき具体的に説明したが、本発明は上記のものに限定されるものではなく、その要旨を逸脱しない範囲で種々変更可能であることはいうまでもない。
【０１３７】
【発明の効果】
請求項１記載の発明の電源装置によれば、オン／オフするＡＣスイッチ手段を介して供給される交流電源を、蓄電素子を有する整流・平滑回路で直流変換して直流電源を、適用される機器の負荷に供給するに際して、少なくとも、ＡＣスイッチ手段がオフされると、オン／オフして整流・平滑回路と負荷との接続の離接を行うＤＣスイッチ手段をオフして、整流・平滑回路の蓄電素子の蓄電電力が負荷に供給されることを阻止するので、機器の停止時（電源断時）に、速やかに蓄電素子に蓄えられた電力の負荷への供給を停止することができ、安全性を向上させることができる。
【０１３８】
請求項２記載の発明の電源装置によれば、ＤＣスイッチ手段を、ＡＣスイッチ手段に組み込まれ、当該ＡＣスイッチ手段がオフすることで、当該ＤＣスイッチ手段がオフするものとしているので、小型で、ＡＣスイッチ手段のオフ時に速やかにかつ確実にＤＣスイッチ手段がオフして、より一層速やかに蓄電素子に蓄えられた電力の負荷への供給を停止することができ、安価かつ小型化することができるとともに、安全性をより一層向上させることができる。
【０１３９】
請求項３記載の発明の電源装置によれば、少なくともＡＣスイッチ手段のオフを検出して、当該ＡＣスイッチ手段のオフを検出すると、ＤＣスイッチ手段をオフするスイッチ制御手段を設けているので、ＡＣスイッチ手段のオフ時に速やかにかつ確実にＤＣスイッチ手段がオフして、より一層速やかに蓄電素子に蓄えられた電力の負荷への供給を停止することができ、安全性をより一層向上させることができる。
【０１４０】
請求項４記載の発明の電源装置によれば、ＤＣスイッチ手段として、リレーを用いているので、ＡＣスイッチ手段のオフ時に速やかにかつ確実にＤＣスイッチ手段としての安価なリレーがオフして、安価にかつ速やかに蓄電素子に蓄えられた電力の負荷への供給を停止することができ、安価なもとすることができるとともに、安全性を向上させることができる。
【０１４１】
請求項５記載の発明の電源装置によれば、ＤＣスイッチ手段として、電界効果トランジスタを用いているので、小型でかつ安価に、ＡＣスイッチ手段のオフ時に速やかにかつ確実にＤＣスイッチ手段としての電界効果トランジスタがオフして、より一層速やかに蓄電素子に蓄えられた電力の負荷への供給を停止することができ、安価かつ小型なものとすることができるとともに、安全性をより一層向上させることができる。
【０１４２】
請求項６記載の発明の電源装置によれば、ＤＣスイッチ手段として、ロッカスイッチを用いているので、ＡＣスイッチ手段のオフ時に速やかにかつ確実にＤＣスイッチ手段としての高効率なロッカスイッチがオフして、安価にかつ速やかに蓄電素子に蓄えられた電力の負荷への供給を停止することができ、安価なものとすることができるとともに、安全性をより一層向上させることができる。
【０１４３】
請求項７記載の発明の電源装置によれば、オン／オフするＡＣスイッチ手段を介して供給される交流電源を、蓄電素子を有する整流・平滑回路で直流変換して直流電源を、適用される機器の負荷に供給するに際して、少なくとも、ＡＣスイッチ手段がオフされると、直列接続された所定の抵抗とスイッチ手段を有し整流・平滑回路の出力を接地電位に接続する逃げ回路の当該スイッチ手段をオンして、整流・平滑回路の蓄電素子の蓄電電力を、当該逃げ回路に流して、負荷に供給されることを阻止するので、機器の停止時（電源断時）に、速やかに蓄電素子に蓄えられた電力を逃げ回路の抵抗に消費させて、負荷に供給されることを停止することができ、安全性を向上させることができる。
【０１４４】
請求項８記載の発明の電源装置によれば、スイッチ手段を、ＡＣスイッチ手段に組み込まれ、当該ＡＣスイッチ手段がオフすることで、当該スイッチ手段がオンするものとしているので、ＡＣスイッチ手段のオフ時に速やかにかつ確実にスイッチ手段がオンして、より一層速やかに蓄電素子に蓄えられた電力の負荷への供給を停止することができ、安価かつ小型なものとすることができるとともに、安全性をより一層向上させることができる。
【０１４５】
請求項９記載の発明の電源装置によれば、少なくともＡＣスイッチ手段のオフを検出して、当該ＡＣスイッチ手段のオフを検出すると、スイッチ手段をオンするスイッチ制御手段を設けているので、ＡＣスイッチ手段のオフ時に速やかにかつ確実にスイッチ手段がオンして、より一層速やかに蓄電素子に蓄えられた電力の負荷への供給を停止することができ、安全性をより一層向上させることができる。
【０１４６】
請求項１０記載の発明の電源装置によれば、電源装置として、適用される機器の待機時等に、消費電力を削減する省エネルギ動作を行う低損失の電源装置を用いているので、機器の動作時には、低損失・高効率を維持し、機器の停止時（電源断時）には、速やかに蓄電素子に蓄えられた電力が負荷に供給されることを停止することができ、低損失・高効率で、安全性の良好なものとすることができる。
【０１４７】
請求項１１記載の発明の電源装置によれば、電源装置として、適用される機器の待機時等に、消費電力を削減する省エネルギ動作を行うとともに、軽負荷時にも高効率を維持する低損失の電源装置を用いているので、機器の動作時には、低損失・高効率を維持し、機器の停止時（電源断時）には、速やかに蓄電素子に蓄えられた電力が負荷に供給されることを停止することができ、低損失・高効率で、安全性の良好なものとすることができる。
【図面の簡単な説明】
【図１】本発明の電源装置の第１の実施の形態を適用した電源装置の要部回路構成図。
【図２】本発明の電源装置の第２の実施の形態を適用した電源装置の要部回路構成図。
【図３】本発明の電源装置の第３の実施の形態を適用した電源装置の要部回路構成図。
【図４】本発明の電源装置の第４の実施の形態を適用した電源装置の要部回路構成図。
【図５】本発明の電源装置の第５の実施の形態を適用した電源装置の要部回路構成図。
【図６】本発明の電源装置の第６の実施の形態を適用した電源装置の要部回路構成図。
【図７】本発明の電源装置の第７の実施の形態を適用した電源装置の要部回路構成図。
【符号の説明】
１  電源装置
２  入力ヒューズ
３  ＡＣスイッチ
４  ノイズフィルタ
５  整流・平滑部
６  ＤＣスイッチ
７  出力端子
８  負荷
１０  商用電源
２０  電源装置
２１  検知／制御回路
２２  ＤＣスイッチ
３０  電源装置
３１  検知／制御回路
３２  リレー
４０  電源装置
４１  検知／制御回路
４２  ＦＥＴ
５０  電源装置
５１  検知／制御回路
５２  ロッカスイッチ
６０  電源装置
６１  ブリーダ抵抗
６２  ブリーダスイッチ
６３  逃げ回路
７０  電源装置
７１  検知／制御回路
７２  ブリーダ抵抗
７３  ブリーダスイッチ
７４  逃げ回路
【図１】
2004336894.tif 000003
【図２】
2004336894.tif 000004
【図３】
2004336894.tif 000005
【図４】
2004336894.tif 000006
【図５】
2004336894.tif 000007
【図６】
2004336894.tif 000008
【図７】
2004336894.tif 000009